(57)【特許請求の範囲】
【請求項１】
内容物が収容される有底筒状の容器本体と、
該容器本体の口部に着脱自在に装着されるキャップ体と、
該キャップ体に装着されるとともに該キャップ体から前記容器本体の底部側に向けて突出する本体部、および該本体部の先端に配設された塗布部を有する塗布具と、を備える塗布具付き容器であって、
前記キャップ体は、前記口部に対して容器軸回りに回転させられることにより該口部から離脱され、
前記塗布具は、前記キャップ体に前記底部側に向けて前進移動可能に装着されるとともに付勢部材により前記底部側に向けて付勢され、前記本体部が前記容器本体に圧接されることにより、前記塗布部の全体を前記容器本体内に露出させた状態で前進移動が規制されていることを特徴とする塗布具付き容器。
【請求項２】
請求項１記載の塗布具付き容器であって、
前記キャップ体および前記塗布具には、前記塗布具が前記キャップ体に対して前進端位置に位置するときに、容器軸方向に互いに係合し合うことで前記塗布具の更なる前進移動を規制する係合部が配設され、
前記塗布具は、前記係合部により更なる前進移動が規制された状態で、前記付勢部材により前記底部側に向けて付勢されていることを特徴とする塗布具付き容器。
【請求項３】
請求項１または２に記載の塗布具付き容器であって、
前記キャップ体は、前記口部に外装される有頂筒状に形成され、
該キャップ体の内周面には、前記口部の外周面に設けられた雄ねじ部に螺合される雌ねじ部が設けられ、
前記口部の外周面において前記雄ねじ部よりも前記底部側に位置する部分には、前記容器軸回りに沿う周方向の全周にわたって延在する環状溝が形成され、
前記雄ねじ部と前記雌ねじ部との螺合が解除され、かつこれらの両ねじ部が互いに近接または当接させられた状態で、前記キャップ体は、その開放端を前記環状溝内に進入させながら、キャップ軸が容器軸に対して傾くように揺動自在になることを特徴とする塗布具付き容器。
【請求項４】
請求項１から３のいずれか１項に記載の塗布具付き容器であって、
前記塗布部は、基端側から先端側に向かうに従い漸次、径方向の外側に向けて延在していることを特徴とする塗布具付き容器。
【発明の詳細な説明】
【技術分野】
【０００１】
本発明は、塗布具付き容器に関する。
【背景技術】
【０００２】
従来から、下記特許文献１に示すような塗布具付き容器が知られているが、この種の塗布具付容器として一般に、内容物が収容される有底筒状の容器本体と、該容器本体の口部に着脱自在に装着されるキャップ体と、該キャップ体に装着されるとともに該キャップ体から容器本体の底部側に向けて突出し、先端に塗布部が配設された塗布具と、を備える構成が知られている。前記塗布部は、容器本体内の内容物内に挿入されており、塗布部は、例えば含浸または付着などにより内容物を保持している。
前記塗布具付き容器を使用するときには、まず、キャップ体を塗布具とともに容器本体から離脱させる。すると塗布部が、内容物を保持した状態で容器本体内から引き出されることとなり、その後、塗布部に保持された内容物を被塗布部に塗布する。
【先行技術文献】
【特許文献】
【０００３】
【特許文献１】実開平５−１４１１号公報
【発明の概要】
【発明が解決しようとする課題】
【０００４】
しかしながら、前記従来の塗布具付き容器では、容器本体内の内容物が減少すると、塗布部が内容物を保持し難くなることから、容器本体内の内容物を使い切ることが困難であった。
【０００５】
本発明は、前述した事情に鑑みてなされたものであって、その目的は、容器本体内の内容物が減少しても塗布部に内容物を保持させ易くして、残量を低減させることができる塗布具付き容器を提供することである。
【課題を解決するための手段】
【０００６】
前記課題を解決するために、本発明は以下の手段を提案している。
本発明に係る塗布具付き容器は、内容物が収容される有底筒状の容器本体と、該容器本体の口部に着脱自在に装着されるキャップ体と、該キャップ体に装着されるとともに該キャップ体から前記容器本体の底部側に向けて突出する本体部、および該本体部の先端に配設された塗布部を有する塗布具と、を備える塗布具付き容器であって、前記キャップ体は、前記口部に対して容器軸回りに回転させられることにより該口部から離脱され、前記塗布具は、前記キャップ体に前記底部側に向けて前進移動可能に装着されるとともに付勢部材により前記底部側に向けて付勢され、前記本体部が前記容器本体に圧接されることにより、前記塗布部の全体を前記容器本体内に露出させた状態で前進移動が規制されていることを特徴とする。なお、前記塗布部は、基端側から先端側に向かうに従い漸次、径方向の外側に向けて延在していてもよい。
【０００７】
この発明では、内容物を塗布するため、容器本体からキャップ体を離脱させるときに、キャップ体を容器本体の口部に対して容器軸回りに回転させるとともに、キャップ体を容器本体に対して、前記底部側とは反対の反底部側に移動させると、塗布具も前記反底部側に移動しようとする。すると、容器本体による塗布具の前進移動の規制が解除され、塗布具が、付勢部材の付勢力によりキャップ体に対して前記底部側に前進移動させられる。
そして、塗布具が前進端位置まで前進移動させられた後には、塗布具も、キャップ体と一体に前記反底部側へ移動させられ、これらのキャップ体および塗布具が容器本体から離脱される。
【０００８】
以上のように、キャップ体を容器本体から離脱させるときに、塗布具が、付勢部材の付勢力によりキャップ体に対して前記底部側に前進移動させられるので、塗布部の容器軸方向の位置を同等に維持し塗布部を前記底部側に継続して位置させ易くすることができる。
これにより、容器本体内の内容物が減少したときであっても、塗布部に内容物を保持させ易くすることが可能になり、残量を低減させることができる。
【０００９】
なお塗布部が、基端側から先端側に向かうに従い漸次、径方向の外側に向けて延在している場合には、キャップ体を容器本体から離脱させるときに、キャップ体とともに塗布具の塗布部を容器本体に対して容器軸回りに回転させることで、塗布部を、容器本体内で径方向の広い範囲にわたって移動させることが可能になり、容器本体内に残留する内容物を塗布部に保持させ易くすることができる。
【００１０】
また、キャップ体が容器本体に装着された状態で、塗布具の本体部が容器本体に圧接されることにより塗布具の前進移動が規制されていることから、塗布具の前進移動を規制するために、塗布部を容器本体の底部に圧接させない構成を採用することも可能である。
この場合、塗布部に容器本体の底部から負荷がかかるのを抑えることが可能になり、塗布部の耐久性を確保し易くすることができる。
【００１１】
また、前記キャップ体および前記塗布具には、前記塗布具が前記キャップ体に対して前進端位置に位置するときに、容器軸方向に互いに係合し合うことで前記塗布具の更なる前進移動を規制する係合部が配設され、前記塗布具は、前記係合部により更なる前進移動が規制された状態で、前記付勢部材により前記底部側に向けて付勢されていてもよい。
【００１２】
この場合、塗布具が、係合部により更なる前進移動が規制された状態で、付勢部材により前記底部側に向けて付勢されるので、塗布部を被塗布部に押し当てて内容物を塗布する際に、塗布具が後退させられるのを抑制することが可能になり、内容物を容易に塗布することができる。
【００１３】
また、前記キャップ体は、前記口部に外装される有頂筒状に形成され、該キャップ体の内周面には、前記口部の外周面に設けられた雄ねじ部に螺合される雌ねじ部が設けられ、前記口部の外周面において前記雄ねじ部よりも前記底部側に位置する部分には、前記容器軸回りに沿う周方向の全周にわたって延在する環状溝が形成され、前記雄ねじ部と前記雌ねじ部との螺合が解除され、かつこれらの両ねじ部が互いに近接または当接させられた状態で、前記キャップ体は、その開放端を前記環状溝内に進入させながら、キャップ軸が容器軸に対して傾くように揺動自在になってもよい。
【００１４】
この場合、まず、雄ねじ部と雌ねじ部との螺合を解除し、これらの両ねじ部を互い近接または当接させる。このとき塗布具は、容器本体による前進移動の規制が解除されて前進端位置に位置しており、塗布具の塗布部は前記底部側に位置している。
その後、キャップ体において径方向の一方側に位置する部分を、前記反底部側に移動させながら、キャップ体の開放端のうち、前記一方側とは反対の他方側に位置する部分を、環状溝内に進入させ、キャップ体を、キャップ軸が容器軸に対して傾くように揺動させる。すると、塗布具の塗布部が前記一方側に移動して、容器本体の胴部における底部との接続部分の内周面に押し当てられる。
そして、両軸の傾斜を維持した状態で容器本体を容器軸回りに回転させ、塗布部を、容器本体の前記接続部分の内周面に押し当てながら該内周面の全周にわたって移動させる。
【００１５】
以上のように、塗布部を、容器本体の前記接続部分の内周面に塗布部を押し当てながら該内周面の全周にわたって移動させることができるので、容器本体の前記接続部分の内周面側に残留する内容物を、塗布部に保持させ易くすることができる。
なお、キャップ体が揺動させられてキャップ体の開放端が環状溝内に進入させられたときに、キャップ体の開放端が環状溝に係合する場合には、キャップ体の揺動姿勢を安定に維持することができる。
【発明の効果】
【００１６】
本発明に係る塗布具付き容器によれば、容器本体内の内容物が減少しても塗布部に内容物を保持させ易くして、残量を低減させることができる。
【図面の簡単な説明】
【００１７】
【図１】本発明の一実施形態に係る塗布具付き容器の縦断面図である。
【図２】図１に示す塗布具付き容器の作用を説明する縦断面図である。
【図３】図１に示す塗布具付き容器の作用を説明する縦断面図である。
【図４】図１に示す塗布具付き容器の作用を説明する縦断面図である。
【発明を実施するための形態】
【００１８】
以下、図面を参照し、本発明の一実施形態に係る塗布具付き容器を説明する。
図１に示すように、塗布具付き容器１０は、例えば液状体や粉状体などの内容物が収容される有底筒状の容器本体１１と、該容器本体１１の口部１２に着脱自在に装着されるキャップ体１３と、該キャップ体１３に装着されるとともに該キャップ体１３から下方（底部側）に向けて突出する本体部１４、および該本体部１４の先端に配設された塗布部１５を有する塗布具１６と、を備えている。
なお以下では、容器本体１１の容器軸Ｏ１に沿ってキャップ体１３側を上側（反底部側）といい、容器本体１１の底部１７側を下側といい、容器軸Ｏ１に直交する方向を径方向といい、容器軸Ｏ１回りに周回する方向を周方向という。
【００１９】
容器本体１１は、前記口部１２および前記底部１７と、これらの口部１２と底部１７とを連結する胴部１８と、を備えている。
なお容器本体１１の外面には、例えば蒸着などにより遮光膜が形成されていてもよい。この場合、例えば遮光膜を、胴部１８の外周面に全面にわたって形成する一方で底部１７に形成しないことで、容器本体１１の内部を、底部１７を通して視認可能にすること等が可能になる。
【００２０】
口部１２および胴部１８の内径は同等とされ、これらの口部１２および胴部１８の内周面は、互いに面一に連なっている。なお、口部１２の内径が胴部１８の内径より小さくなるように形成しても、口部１２の内径が胴部１８の内径より大きくなるように形成してもよい。
また口部１２の外径は、胴部１８の外径よりも小さくなっており、口部１２の外周面と胴部１８の外周面とは段部１９を介して連結されている。さらに口部１２の上端部の外径は、口部１２においてこの上端部よりも下方に位置する部分の外径よりも小さくなっている。
【００２１】
口部１２の外周面には、キャップ体１３に設けられた雌ねじ部２０に螺合する雄ねじ部２１が設けられている。これらの雄ねじ部２１および雌ねじ部２０は、例えば多条ねじとなっており、図示の例では２条ねじとされている。
また、口部１２の外周面において雄ねじ部２１よりも下方に位置する部分には、周方向の全周にわたって延在する環状溝２２が形成されている。
【００２２】
また口部１２内には、塗布具１６に付着した余分な内容物をしごき落とすしごき部材２３が配設されている。しごき部材２３は、外周縁が前記口部１２の開口端縁上に固定されるとともに容器軸Ｏ１と同軸に配置された環状に形成されている。しごき部材２３の下面には、周方向の全周にわたって延在するリブ部２４が設けられており、しごき部材２３においてリブ部２４よりも径方向の内側に位置する内側部分２３ａは、径方向の内側に向かうに従い漸次、薄肉になるとともに下方に向けて延在している。この内側部分２３ａは、前記リブ部２４を起点として弾性変形容易になっている。
【００２３】
キャップ体１３のキャップ軸Ｏ２は、容器軸Ｏ１と同軸とされ、キャップ体１３は、容器本体１１の口部１２に対して容器軸Ｏ１回りに回転させられることにより該口部１２から離脱されるとともに、該口部１２に対する回転に伴って塗布具１６を容器軸Ｏ１回りに回転させる。本実施形態では、キャップ体１３は、前記口部１２に外装される有頂筒状に形成されており、キャップ体１３のうちの下方に位置する下側部分１３ａが、前記口部１２を径方向の外側から囲繞している。そして、この下側部分１３ａの内周面に前記雌ねじ部２０が配設されている。雌ねじ部２０は、キャップ体１３の開放端１３ｂよりも上側に配置されている。
【００２４】
キャップ体１３の開放端１３ｂは、容器本体１１の口部１２のうち、前記環状溝２２よりも下方に位置する口部１２の下端部と、容器軸Ｏ１方向の位置が同等となっており、このキャップ体１３の開放端１３ｂは、容器本体１１の前記段部１９に、該段部１９の上方から近接または当接している。
【００２５】
キャップ体１３の頂壁部には、下方に向けて延在する垂下筒部２５が、容器軸Ｏ１と同軸に配設されている。垂下筒部２５の下端は、容器本体１１の口部１２の上端よりも上方に位置し、後述する基部２６の底壁部に、該底壁部の上方から近接または当接している。垂下筒部２５の外周面には、上下方向に延在する縦リブ２５ａが、周方向の全周にわたって間隔をあけて複数配設されている。縦リブ２５ａは、垂下筒部２５の全長にわたって延在しており、縦リブ２５ａの上端は、キャップ体１３の頂壁部に連結されている。
【００２６】
そして本実施形態では、塗布具１６は、キャップ体１３に下方に向けて前進移動可能に装着されるとともに付勢部材２９により下方に向けて付勢され、塗布具１６の本体部１４が容器本体１１に圧接されることにより前進移動が規制されている。
塗布具１６の本体部１４は、キャップ体１３の内周面に容器軸Ｏ１方向に移動可能に装着された基部２６と、基部２６から下方に向けて延設された棒部２７と、を備えている。
【００２７】
基部２６は、容器軸Ｏ１と同軸に配置され外周縁がしごき部材２３の外周縁上に位置する有底筒状に形成されるとともに、キャップ体１３において前記下側部分１３ａよりも上側に位置する上側部分１３ｃ内に配設されている。
基部２６の外周面には、キャップ体１３の前記上側部分１３ｃの内周面に設けられた係合凹部（係合部）３０内に、容器軸Ｏ１方向に移動可能に配置された係合凸部（係合部）３１が突設されている。係合凸部３１の容器軸Ｏ１方向に沿った大きさは、係合凹部３０の容器軸Ｏ１方向に沿った大きさよりも小さく、係合凸部３１は、係合凹部３０内における上端部に配置されている。
【００２８】
基部２６の底壁部には、上方に向けて延在する立ち上がり筒部２８が、容器軸Ｏ１と同軸に配設されている。立ち上がり筒部２８の上端は、キャップ体１３の頂壁部に近接または当接している。また立ち上がり筒部２８は、キャップ体１３の垂下筒部２５を径方向の外側から囲繞しており、立ち上がり筒部２８の内周面には、上下方向に延在するとともに内部に前記縦リブ２５ａが配置された縦溝２８ａが、周方向の全周にわたって間隔をあけて複数配設されている。縦溝２８ａは、立ち上がり筒部２８の全長にわたって延在し、上方に向けて開口している。
【００２９】
棒部２７は、容器軸Ｏ１と同軸に配置されるとともにしごき部材２３内に容器軸Ｏ１方向に摺動可能に挿通されており、棒部２７の外周面は、しごき部材２３の内周縁に液密に当接している。
塗布部１５は、棒部２７と一体成形されるとともに、弾性変形可能なスパチュラ状に形成され、塗布部１５のうち、棒部２７と連結される基端１５ａは、容器軸Ｏ１上に位置し、塗布部１５は、基端１５ａ側から先端１５ｂ側に向かうに従い漸次、径方向の外側に向けて延在している。また塗布部１５は、基端１５ａ側から先端１５ｂ側に向かうに従い漸次、下方に向けても延在しており、塗布部１５の先端１５ｂは、容器本体１１の底部１７に近接または当接している。さらに塗布部１５は、径方向の内側に向けて窪む曲線状をなすように湾曲している。
【００３０】
付勢部材２９は、容器軸Ｏ１方向に弾性変形された状態で、キャップ体１３と塗布具１６との間に配設されている。本実施形態では、付勢部材２９は、容器軸Ｏ１と同軸に配置された筒状に形成されるとともに塗布部１５の前記立ち上がり筒部２８に外装され、付勢部材２９の上下両端は、キャップ体１３の頂壁部、および塗布具１６の基部２６の底壁部それぞれに当接している。なお付勢部材２９は、例えば樹脂ばね、金属ばね（コイルスプリング等）、ゴム製部材、エラストマー樹脂製部材等により構成することが可能であるとともに、例えばキャップ体１３または基部２６などと一体に成形することも可能である。
そして付勢部材２９が、塗布具１６を下方に向けて付勢することで、塗布具１６の基部２６の外周縁が、容器本体１１の口部１２の前記開口端縁上に、しごき部材２３の外周縁を介して圧接されている。
【００３１】
次に、前記塗布具付き容器１０の作用について説明する。
はじめに、内容物を塗布するため、容器本体１１からキャップ体１３を離脱させるときには、まず、キャップ体１３を容器本体１１の口部１２に対して容器軸Ｏ１回りに回転させ、容器本体１１の前記雄ねじ部２１とキャップ体１３の前記雌ねじ部２０との螺合を解除する。このとき、キャップ体１３の前記縦リブ２５ａと、塗布具１６の前記縦溝２８ａと、が周方向に互いに係合し合うことで、キャップ体１３と塗布具１６とが容器軸Ｏ１回りに共回りする。
【００３２】
またこのとき、キャップ体１３が容器本体１１に対して上方に移動することで、塗布具１６も上方に移動しようとする。すると、容器本体１１による塗布具１６の前進移動の規制が解除され、塗布具１６の前記係合凸部３１が、キャップ体１３の前記係合凹部３０内を下方に向けて移動し、塗布具１６が、付勢部材２９の付勢力によりキャップ体１３に対して下方に前進移動させられる。
そして図２に示すように、塗布具１６が前進端位置まで前進移動させられた後には、塗布具１６も、キャップ体１３と一体に上方へ移動させられ、これらのキャップ体１３および塗布具１６が容器本体１１から離脱される。その後、塗布部１５に保持された内容物を被塗布部に塗布する。
【００３３】
なお本実施形態では、塗布具１６がキャップ体１３に対して前進端位置に位置するときに、塗布具１６の前記係合凸部３１が、キャップ体１３の前記係合凹部３０内における下端部に位置して係合凹部３０を画成する上方を向く壁面に当接しており、このように係合凸部３１と係合凹部３０とが、容器軸Ｏ１方向に互いに係合し合うことで塗布具１６の更なる前進移動を規制している。そしてこのとき、塗布具１６は、係合凸部３１および係合凹部３０により更なる前進移動が規制された状態で、付勢部材２９により下方に向けて付勢されている。
【００３４】
次に、容器本体１１の胴部１８における底部１７との接続部分１８ａの内周面側に残留する内容物を、塗布部１５に保持させたいときには、まず図３に示すように、雄ねじ部２１と雌ねじ部２０との螺合を解除し、これらの両ねじ部２０、２１を互いに近接または当接させる。
このとき雌ねじ部２０は、雄ねじ部２１に該雄ねじ部２１の上方から近接または当接している。またキャップ体１３は、容器本体１１の口部１２に外装され、キャップ体１３の開放端１３ｂは、容器本体１１の口部１２の前記環状溝２２に径方向に対向している。さらに塗布具１６は、容器本体１１による前進移動の規制が解除されて前進端位置に位置しており、塗布具１６の塗布部１５は、容器本体１１内の下方に位置している。
【００３５】
その後図４に示すように、キャップ体１３において、径方向のうち、容器軸Ｏ１に対して塗布部１５の先端１５ｂが位置する一方側に位置する部分を、上方に移動させながら、キャップ体１３の開放端１３ｂのうち、前記一方側とは反対の他方側に位置する部分を、前記環状溝２２内に進入させ、キャップ体１３を、キャップ軸Ｏ２が容器軸Ｏ１に対して傾くように揺動させる。なお図示の例では、近接または当接し合う両ねじ部２０、２１同士のうち、前記他方側に位置する部分を支点として、キャップ体１３を揺動させる。
【００３６】
すると、塗布具１６の塗布部１５が前記一方側に移動して、容器本体１１の前記接続部分１８ａの内周面に押し当てられる。このとき本実施形態では、塗布部１５の先端１５ｂが前記接続部分１８ａに押し当てられ、塗布部１５がなす曲線の曲率半径が大きくなるように、塗布部１５が弾性変形させられる。
そして、両軸Ｏ１、Ｏ２の傾斜を維持した状態で容器本体１１を容器軸Ｏ１回りに回転させ、塗布部１５を、容器本体１１の前記接続部分１８ａの内周面に押し当てながら該内周面の全周にわたって移動させる。
【００３７】
以上説明したように、本実施形態に係る塗布具付き容器１０によれば、キャップ体１３を容器本体１１から離脱させるときに、塗布具１６が、付勢部材２９の付勢力によりキャップ体１３に対して下方に前進移動させられるので、塗布部１５の容器軸Ｏ１方向の位置を同等に維持し、塗布部１５を下方に継続して位置させ易くすることができる。
これにより、容器本体１１内の内容物が減少したときであっても、塗布部１５に内容物を保持させ易くすることが可能になり、残量を低減させることができる。
【００３８】
また本実施形態のように、塗布部１５が、基端１５ａ側から先端１５ｂ側に向かうに従い漸次、径方向の外側に向けて延在している場合には、キャップ体１３を容器本体１１から離脱させるときに、キャップ体１３とともに塗布具１６の塗布部１５を容器本体１１に対して容器軸Ｏ１回りに回転させることで、塗布部１５を、容器本体１１内で径方向の広い範囲にわたって移動させることが可能になり、容器本体１１内に残留する内容物を塗布部１５に保持させ易くすることができる。
【００３９】
また、塗布部１５を、容器本体１１の前記接続部分１８ａの内周面に押し当てながら該内周面の全周にわたって移動させることができるので、容器本体１１の前記接続部分１８ａの内周面側に残留する内容物を、塗布部１５に保持させ易くすることができる。
なお、キャップ体１３が揺動させられてキャップ体１３の開放端１３ｂが環状溝２２内に進入させられたときに、例えば前記開放端１３ｂが、環状溝２２を画成する内壁面に当接して引っ掛かること等により、キャップ体１３の開放端１３ｂが、環状溝２２に係合する場合には、キャップ体１３の揺動姿勢を安定に維持することができる。
【００４０】
また、キャップ体１３が容器本体１１に装着された状態で、塗布具１６の本体部１４が容器本体１１に圧接されることにより塗布具１６の前進移動が規制されていることから、塗布具１６の前進移動を規制するために、塗布部１５を容器本体１１の底部１７に圧接させない本実施形態のような構成を採用することも可能である。
この場合、塗布部１５に容器本体１１の底部１７から負荷がかかるのを抑えることが可能になり、塗布部１５の耐久性を確保し易くすることができる。
【００４１】
また塗布具１６が、係合凸部３１および係合凹部３０により更なる前進移動が規制された状態で、付勢部材２９により前記底部１７側に向けて付勢されるので、塗布部１５を被塗布部に押し当てて内容物を塗布する際に、塗布具１６が後退させられるのを抑制することが可能になり、内容物を容易に塗布することができる。
【００４２】
なお、本発明の技術的範囲は前記実施形態に限定されるものではなく、本発明の趣旨を逸脱しない範囲において種々の変更を加えることが可能である。
例えば、しごき部材２３の前記リブ部２４はなくてもよい。さらにしごき部材２３がなくてもよい。
【００４３】
また前記実施形態では、雄ねじ部２１と雌ねじ部２０との螺合を解除し、これらの両ねじ部２０、２１を互いに近接または当接させた状態で、キャップ体１３の開放端１３ｂが、容器本体１１の口部１２の前記環状溝２２に径方向に対向しているものとしたが、これに限られない。つまり、雄ねじ部と雌ねじ部との螺合が解除された状態で、かつこれらの両ねじ部が互いに近接または当接させられた状態に限らず、キャップ体が、その開放端を環状溝内に進入させながら、キャップ軸が容器軸に対して傾くように揺動自在になる他の構成を、適宜採用することが可能である。例えば、キャップ体の開放端が、環状溝よりも下方に位置していても、キャップ体を揺動させるときに、前記開放端が、容器本体の口部における環状溝の開口周縁部を弾性変形しながら乗り越えて、環状溝内に進入する構成としてもよいし、前記両ねじ部が完全に離間した状態で、前記開放端が容器本体の口部における環状溝内に進入する構成としてもよい。
【００４４】
また、環状溝２２はなくてもよい。
さらに前記実施形態では、キャップ体１３は、容器本体１１の口部１２に外装されるものとしたが、内装されていてもよい。
【００４５】
また前記実施形態では、塗布部１５の基端１５ａは、容器軸Ｏ１上に位置し、塗布部１５は、基端１５ａ側から先端１５ｂ側に向かうに従い漸次、径方向の外側に向けて延在しているものとしたが、これに限られない。例えば、塗布部１５の基端１５ａが、容器軸Ｏ１に対して径方向にずらされていたり、塗布部１５が容器軸Ｏ１方向に延在していたりしてもよい。
【００４６】
さらに、塗布部１５は前記実施形態に示したものに限られず、例えば含浸または付着などにより内容物を保持する他の構成等を適宜採用することが可能である。例えば、塗布部１５として、基部材にフロッキー加工を施すことにより、基部材の表面に植毛部が形成されてなる構成を採用してもよい。また塗布部１５として、スポンジ状やヘラ状、ブラシ状の構成などを採用することも可能である。
【００４７】
また前記実施形態では、キャップ体１３を容器本体１１の口部１２に対して回転させるときに、キャップ体１３の前記縦リブ２５ａと、塗布具１６の前記縦溝２８ａと、が周方向に互いに係合し合うことで、キャップ体１３と塗布具１６とが容器軸Ｏ１回りに共回りするものとしたが、キャップ体および塗布具に、塗布具に対するキャップ体の容器軸回りの回転を規制する回転規制部を、縦リブ２５ａおよび縦溝２８ａとは異なる構成で設けることも可能である。
【００４８】
また前記実施形態では、塗布具１６に前記係合凸部３１が設けられ、キャップ体１３に前記係合凹部３０が設けられているものとしたが、これに限られず、塗布具１６に係合凹部３０が設けられ、キャップ体１３に係合凸部３１が設けられていてもよい。つまり、キャップ体および塗布具に、塗布具がキャップ体に対して前進端位置に位置するときに、容器軸方向に互いに係合し合うことで塗布具の更なる前進移動を規制する係合部を配設すればよい。
【００４９】
また前記実施形態では、雄ねじ部２１と雌ねじ部２０とを螺合させることにより、キャップ体１３が容器本体１１の口部１２に装着されているものとしたが、これに限られるものではなく、キャップ体１３として、容器本体の口部に対して容器軸回りに回転させられることにより該口部に離脱される他の構成を適宜採用することが可能である。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
１０  塗布具付き容器
１１  容器本体
１２  口部
１３  キャップ体
１３ｂ  開放端
１４  本体部
１５  塗布部
１６  塗布具
１７  底部
２０  雌ねじ部
２１  雄ねじ部
２２  環状溝
２９  付勢部材
３０  係合凹部（係合部）
３１  係合凸部（係合部）
Ｏ１  容器軸
Ｏ２  キャップ軸
【図１】
0005813990.tif 000002
【図２】
0005813990.tif 000003
【図３】
0005813990.tif 000004
【図４】
0005813990.tif 000005